(57)【要約】【課題】  本発明は、識別情報の誤読を確実に防止することができる識別情報読取装置、及び手形読取装置、並びに画像形成装置を提供することを目的とする。【解決手段】  本発明の識別情報取得装置、及び手形読取装置、並びに画像形成装置は、磁性情報として読取可能な識別情報を含む手形Ｓ等である被読取部材を搬送する搬送路Ｒに設けられて識別情報を所定の傾き状態で磁性情報として読み取る読取手段である磁気ヘッド１０を備えていることを特徴とする。【選択図】  図７
2010244299.tif 000002
【特許請求の範囲】
【請求項１】
磁性情報として読取可能な識別情報を含む被読取部材を搬送する搬送路に設けられて前記識別情報を所定の傾き状態で前記磁性情報として読み取る読取手段を備えていることを特徴とする識別情報読取装置。
【請求項２】
前記読取手段は、前記被読取部材の搬送路に対して所定の角度傾けた状態で設けられていることを特徴とする請求項１記載の識別情報読取装置。
【請求項３】
前記識別情報として認定するための認定基準情報と前記読取手段が読み取った読取情報とを照合することにより前記読取情報を前記識別情報として認定する認定手段を備えていることを特徴とする請求項１又は２項に記載の識別情報読取装置。
【請求項４】
前記認定基準情報は、文字形態情報としてＥ１３Ｂフォントの文字２及び５に関する磁性情報を含むことを特徴とする請求項１〜３の何れか１項に記載の識別情報読取装置。
【請求項５】
前記被読取部材の搬送路に別途設けられて前記識別情報を前記磁性情報として読み取る他の読取手段と、前記識別情報として認定するための認定基準情報と前記読取手段で読み取った読取情報及び前記他の読取手段で読み取った他の読取情報とを照合することにより前記識別情報に対応する情報であるか否かを判定する判定手段とを備えていることを特徴とする請求項１〜４の何れか１項に記載の識別情報読取装置。
【請求項６】
前記他の読取情報に所定の個別情報が含まれるか否かを判断する判断手段と、前記判断手段により前記他の読取情報に前記所定の個別情報が含まれると判断した際に前記判定手段で前記識別情報に対応する情報であると判定した前記読取情報を前記識別情報として認定する認定手段とを備えていることを特徴とする請求項５記載の識別情報読取装置。
【請求項７】
前記他の読取情報に所定の個別情報が含まれるか否かを判断する判断手段と、前記判断手段により前記他の読取情報に前記所定の個別情報が含まれると判断した際に前記他の読取情報に含まれる前記所定の個別情報に対応する特定の個別情報について前記読取手段で読み取った読取情報に含まれる前記所定の個別情報に対応する個別情報に補正する補正手段と、前記補正後の第１読取情報を前記識別情報として認定する認定手段とを備えていることを特徴とする請求項５記載の識別情報読取装置。
【請求項８】
請求項１〜７の何れか１項に記載の識別情報読取装置を備えていることを特徴とする手形読取装置。
【請求項９】
請求項１〜７の何れか１項に記載の識別情報読取装置を備えていることを特徴とする画像形成装置。
【発明の詳細な説明】
【技術分野】
【０００１】
本発明は、例えば、磁気インク文字等からなる識別情報の読取処理に用いられる識別情報読取装置、及び手形読取装置、並びに画像形成装置に関する。
【背景技術】
【０００２】
従来から、金融機関においては、例えば、手形類や小切手等に印字された磁気インク文字情報に基づいて、これら手形等の各種分類整理を行っている。このような分類整理の作業においては、大量の手形等を処理することから、手形等に印字された磁気インク文字情報を磁気情報として自動的に読み取り可能な磁気インク文字読取装置が用いられている（例えば、特許文献１参照）。
【０００３】
しかしながら、手形等の読取においては、このような磁気インク文字読取装置を用いたとしても、手形等の文字情報を磁気情報として読み取った結果が、十分な読取品質を有しているにもかかわらず、読取情報と実際の手形等に印字された磁気インク文字情報とが一致しない、いわゆる誤読が生じるという問題がある。
【０００４】
例えば、磁気インク文字読取装置での読取処理によって文字情報から文字毎の磁気波形を十分な読取品質で高精度に取得できたとしても、例えば、Ｅ１３Ｂフォント（規格フォント）の文字「２」及び「５」等のように磁気波形が非常に似た波形として取得される特定の文字が存在する場合には、読取情報と実際の手形等の磁気インク文字情報とが一致せず、誤読が生じることがある。
【０００５】
すなわち、このような特定の文字は、予め読み取った磁気基準波形と実際に読み取った磁気波形との形状比較だけでなく磁気波形の時間軸の差を比較して識別しているため、手形等の搬送速度に変動が生じると、磁気基準波形との照合がうまくいかず、磁気波形の時間軸との差が実質的に小さくなり、文字の誤読が発生してしまう。
【０００６】
なお、上記の問題は、手形等の読取処理に限って発生するものではなく、磁性情報として読取可能に付与された識別情報を有する被読取部材の読取処理においても、同様に発生する可能性がある。
【先行技術文献】
【特許文献】
【０００７】
【特許文献１】特開２００８−２１７６３５号公報（図１）
【発明の概要】
【発明が解決しようとする課題】
【０００８】
本発明は上述した事情に鑑み、識別情報の誤読を確実に防止することができる識別情報読取装置、及び手形読取装置、並びに画像形成装置を提供することを目的とする。
【課題を解決するための手段】
【０００９】
上記目的を達成するための本発明の識別情報取得装置は、磁性情報として読取可能な識別情報を含む被読取部材を搬送する搬送路に設けられて前記識別情報を所定の傾き状態で前記磁性情報として読み取る読取手段を備えていることを特徴とする。
【００１０】
また、本発明の他の態様は、上記識別情報読取装置を備えていることを特徴とする手形読取装置にある。
【００１１】
さらに、本発明の他の態様は、上記識別情報読取装置を備えていることを特徴とする画像形成装置にある。
【発明の効果】
【００１２】
本発明の識別情報読取装置によれば、被読取部材に付与された識別情報において、異なる文字等のように外観等で区別可能な異なる形態でありながら通常の読取処理にて磁気波形が酷似する特定の識別形態が識別情報に含まれていても、その識別情報を所定の傾き状態で読み取るようにしたので、特定の識別形態に基づく磁気波形に、区別できる程度の波形の違いを生じさせることが可能となり、その結果、特定の識別形態を正確に区別することができ、識別情報の誤読を確実に防止することができるという効果を奏する。
【００１３】
また、本発明の他の態様によれば、上記識別情報読取装置を備えているので、識別情報の誤読を確実に防止する手形読取装置、画像読取装置を実現することができる。
【図面の簡単な説明】
【００１４】
【図１】実施形態１に係る磁気インク文字読取装置の構成を示す概略図。
【図２】手形Ｓの一例を示す概略図。
【図３】Ｅ１３Ｂフォントの文字一覧。
【図４】従来装置で読み取ったＥ１３Ｂフォントの文字「２」及び「５」の磁気波形を示す図。
【図５】従来装置で読み取ったＥ１３Ｂフォントの文字「２」及び「５」の磁気波形の比較結果を示す図。
【図６】実施形態１に係る磁気インク文字読取装置の要部を示す構成ブロック図。
【図７】図６に示す磁気ヘッドの設置状態を示す概略図。
【図８】実施形態１に係る識別情報の読取手順を示すフローチャート図。
【図９】実施例１に係るＥ１３Ｂフォントの文字「２」及び「５」の磁気波形の比較図。
【図１０】実施例２に係るＥ１３Ｂフォントの文字「２」及び「５」の磁気波形の比較図。
【図１１】実施例３に係るＥ１３Ｂフォントの文字「３」の磁気波形を示す図。
【図１２】比較例１に係るＥ１３Ｂフォントの文字「３」の磁気波形を示す図。
【図１３】実施例４に係るＥ１３Ｂフォントの文字「８」の磁気波形を示す図。
【図１４】比較例１に係るＥ１３Ｂフォントの文字「８」の磁気波形を示す図。
【図１５】実施形態２に係る磁気インク文字読取装置の要部を示す構成ブロック図。
【図１６】図１５に示す磁気ヘッドの設置状態を示す概略図。
【図１７】実施例５に係るＥ１３Ｂフォントの文字「２」の磁気波形を示す図。
【図１８】実施例６に係るＥ１３Ｂフォントの文字「５」の磁気波形を示す図。
【図１９】実施例７に係るＥ１３Ｂフォントの文字「２」及び「５」の磁気波形の比較図。
【図２０】実施例８に係るＥ１３Ｂフォントの文字「２」及び「５」の磁気波形の比較図。
【発明を実施するための形態】
【００１５】
以下に本発明を実施するための形態に基づいて詳細に説明する。
【００１６】
（実施形態１）
図１は、本発明の実施形態１に係る識別情報読取装置を備えた磁気インク文字読取装置の構成を示す概略図である。
【００１７】
図１に示すように、本実施形態の識別情報読取装置を備えた磁気インク読取装置は、手形読取装置であり、手形を積載する為のホッパー部１を備えている。また、この磁気インク文字読取装置のホッパー部１には、磁性情報として読取可能な識別情報、具体的には磁性材料等を含むインクからなる磁気インク文字（ＭＩＣＲ［Ｍａｇｎｅｔｉｃ  Ｉｎｋ  Ｃｈａｒａｃｔｅｒ  Ｒｅｃｏｎｇｎｉｔｉｏｎ］文字）により印刷された識別情報を有する手形Ｓが積載される。なお、手形Ｓの詳細については後述する。
【００１８】
また、ホッパー部１には、積載される手形Ｓを一方側の端面に付勢する押圧板２が設けられている。そして、手形Ｓは、ホッパー部１に積載された状態で、押圧板２によって給紙ローラ３に付勢されている。
【００１９】
さらに、手形Ｓは、コントローラユニット４の指示により給紙ローラ３を介してフィードローラ５側に給紙され、分離ローラ６により１枚ずつに分離された後に、搬送路Ｒに送り出される。手形Ｓに印刷された識別情報は、搬送路Ｒに設けられた永久磁石７によって磁化方向が整えられる。なお、本実施形態では永久磁石７を用いているが、勿論これに限定されず、磁気インク文字に磁化を与えるものであればよく、例えば、電磁石等の磁化手段を用いてもよい。また、手形Ｓは、搬送ローラ対８によって、紙端検知センサ９を経て磁気ヘッド１０に搬送され、磁気ヘッド１０により識別情報が読み取られる。なお、この磁気ヘッド１０には、手形Ｓを密着させるための押圧コロ１１が対向して配置されている。
【００２０】
なお、磁気ヘッド１０を通過した手形Ｓは、搬送ローラ対１２、１３により、搬送路Ｒを通って画像読み取りのタイミングを取るためのレジストリセンサ１４、手形Ｓの両面の画像を読み取る画像読取センサ対１５に搬送され、手形Ｓの両面の画像を読み取る。
【００２１】
そして、手形Ｓの画像を読み取った後に、手形Ｓの裏面にエンドーサ１６で画像を読み取った日付等を印刷し、排紙ローラ１７により搬送される。排紙ローラ１７の排紙方向には排紙センサ１８、フラッパ１９が設けられており、このフラッパ１９により搬送路Ｒが切換えられ、手形Ｓは排紙トレイ２０ａ、２０ｂの何れかに排紙される。
【００２２】
なお、このような磁気インク文字読取装置は、ハウジング２１内にローラ群を駆動するモータ２２が設けられており、磁気インク文字読取装置全体を制御するコントローラユニット４はインタフェースケーブルを介して接続されている図示しないコンピュータと通信を行う。
【００２３】
ここで、図２には、このような磁気インク文字読取装置によって読取対象となる手形Ｓの一例を示す。手形Ｓには、例えば、本実施形態では、図２に示すように所定の領域にＭＩＣＲ文字等が、磁気インクや磁気トナー等の磁気インク文字からなり、磁性情報として読取可能な識別情報として印字されている。また、手形Ｓの領域は、図の左側から９１ａ「補助自行欄ＩＩ」、９１ｂ「補助自行欄Ｉ」、９１ｃ「交換所欄（交換番号、機関コード）」、９１ｄ「自行データ欄（店Ｎｏ・手形Ｎｏ・口座Ｎｏ）」、９１ｅ「金額欄」に分けられ、各欄に識別情報が記録されている。
【００２４】
また、図３に、Ｅ１３Ｂフォントの文字の一覧を示す。図３に示すＥ１３Ｂフォントの各文字の中には、外観上、各文字の識別が比較的容易であるにもかかわらず、詳細は後述するが、文字「２」及び「５」については磁気波形として非常に酷似しているため、従来装置では、磁気的な情報に基づく判定で両者を確実に識別することが困難である。
【００２５】
以下、Ｅ１３Ｂフォントの文字「２」及び「５」を例に挙げ、従来装置において、識別情報の誤読が生じてしまう原因について説明する。ここでは、まず、Ｅ１３Ｂフォントの文字「２」及び「５」について、一定搬送速度下で、磁気情報を読み取るようにし、読み取った両者の磁気波形について比較を行った場合について説明する。また、ここでの従来装置は、図示しないが、磁気ヘッドを手形の搬送路（搬送方向）に対して平行、すなわち、直立に設置した装置である。
【００２６】
図４には、従来装置で読み取ったＥ１３Ｂフォントの文字「２」及び「５」の磁気波形を示す。なお、図中の縦軸は出力電圧値であり、横軸は時間の経過を表す。また、図中の文字上の線は文字「２」及び「５」のピーク位置を示す。この線上の磁界の変化量が磁気波形として読み取られる。
【００２７】
ここで、文字「２」は、次のようにして磁気ヘッドにより磁気波形として読み取られる。まず、磁気ヘッドがＡの部分を走査している箇所で、磁界の変化量は最小となり、この時の磁気波形は図４の点線のＡに対応する。次に、磁気ヘッドがＢの部分を走査している箇所で、磁界の変化量は最大となり、この時の磁気波形は図４の点線のＢに対応する。次に、磁気ヘッドがＣの部分を走査している箇所で、磁界の変化量は再び最小となり、この時の磁気波形は図４の点線のＣに対応する。最後に、磁気ヘッドがＤの部分を走査している箇所で、磁界の変化量は再び最大となりこの時の磁気波形は図４の点線のＤに対応する。
【００２８】
一方、文字「５」についても、上述した文字「２」と同様にして、まず、磁気ヘッドがＡ´の部分を走査している箇所で、磁界の変化量は最小となり、この時の磁気波形は図４の点線のＡ´に対応する。次に、磁気ヘッドがＢ´の部分を走査している箇所で、磁界の変化量は最大となり、この時の磁気波形は図４の点線のＢ´に対応する。次に、磁気ヘッドがＣ´の部分を走査している箇所で、磁界の変化量は再び最小となり、この時の磁気波形は図４の点線のＣ´に対応する。最後に、磁気ヘッドがＤ´の部分を走査している箇所で、磁界の変化量は再び最大となりこの時の磁気波形は図４の点線のＤ´に対応する。
【００２９】
そして、上記のようにして読み取った文字「２」及び「５」の磁気波形を比較すると、図４に示すように、非常に似た磁気波形を示しており、両者の相違点としては、ピーク位置（尾根、谷の部分）の時間軸の差のみである。したがって、文字「２」と「５」を区別するためには、磁気波形の時間軸の差を比較し、時間軸方向におけるピーク位置の違いに基づいて、両者を区別しなくてはならない。しかしながら、上述したような磁気波形の解析方法は、手形の搬送速度が一定の場合、すなわち、手形の搬送速度に変動が生じていない状態で有効な解析手法である。したがって、例えば、手形の搬送速度に変動が生じた場合には、上述したような解析手法では、Ｅ１３Ｂフォントの文字「２」及び「５」について誤読が生じるおそれがある。この点については、以下に詳述する。
【００３０】
ここで、図５には、本実施形態に係る識別情報読取装置を備えた磁気インク文字読取装置で読み取ったＥ１３Ｂフォントの文字「２」及び「５」の磁気波形の比較結果を示す。ここでは、手形の搬送速度に変動が生じた場合、具体的には、手形の所定の搬送速度（設定値）から低速側に速度変動した時の文字「２」と高速変動した時の文字「５」についての磁気波形について比較した。なお、図５の文字上の線は文字「２」及び「５」のピーク位置を示す。この線上の磁界の変化量が磁気波形として読み取られる。
【００３１】
図５に示すように、文字「２」の磁気波形については、磁気ヘッドがＡの部分を走査している箇所で、磁界の変化量は最小となり、この時の磁気波形は図５の点線のＡに対応する。次に、磁気ヘッドがＢの部分を走査している箇所で、磁界の変化量は最大となり、この時の磁気波形は図５の点線のＢに対応する。次に、磁気ヘッドがＣの部分を走査している箇所で、磁界の変化量は再び最小となり、この時の磁気波形は図５の点線のＣに対応する。最後に、磁気ヘッドがＤの部分を走査している箇所で、磁界の変化量は再び最大となりこの時の磁気波形は図５の点線のＤに対応する。
【００３２】
一方、文字「５」の磁気波形についても、図５に示すように、磁気ヘッドがＡ´の部分を走査している箇所で、磁界の変化量は最小となり、この時の磁気波形は図５の点線のＡ´に対応する。次に、磁気ヘッドがＢ´の部分を走査している箇所で、磁界の変化量は最大となり、この時の磁気波形は図５の点線のＢ´に対応する。次に、磁気ヘッドがＣ´の部分を走査している箇所で、磁界の変化量は再び最小となり、この時の磁気波形は図５の点線のＣ´に対応する。最後に、磁気ヘッドがＤ´の部分を走査している箇所で、磁界の変化量は再び最大となりこの時の磁気波形は図５の点線のＤ´に対応する。
【００３３】
そして、Ｅ１３Ｂフォントの文字「２」及び「５」についての磁気波形の特性比較を行うと、図５に示すようにピーク位置（尾根、谷の部分）がかなり近いものとなり、非常に酷似した磁気波形となる。すなわち、手形の搬送速度に変動が発生してしまうと、１文字分の幅を８等分に分割し、磁気ヘッドで文字を読み取った時に得られる読取信号のピークを探索する認識方法においては、時間軸方向に磁気波形が変動した結果、同じブロックにピークが存在するようになり、結果として、例えば、「２」の磁気波形を「５」の磁気波形として認識し、識別情報の誤読が生じる結果になってしまう。
【００３４】
これに対し、本実施形態に係る識別情報読取装置を備えた磁気インク文字読取装置によれば、詳細は後述するが、搬送路Ｒに設けられて識別情報を所定の傾き状態で磁性情報として読み取る読取手段である磁気ヘッド１０を備えているので、上述したような磁気的な情報に基づく判定で識別が困難な文字であっても、比較的容易に且つ正確に識別することができ、識別情報の誤読を確実に防止することができる。
【００３５】
以下、図６及び図７を参照し、本実施形態に係る識別情報読取装置を備えた磁気インク文字読取装置により、手形の識別情報の読取機構について説明する。なお、図６は、本発明の実施形態１に係る識別情報読取装置を備えた磁気インク文字読取装置の要部を示す構成ブロック図である。図７は、図６に示す磁気ヘッドの設置状態を示す概略図である。
【００３６】
図６に示すように、本実施形態の磁気インク文字読取装置は、手形Ｓの搬送方向上流側から順に、レジストセンサ２２、永久磁石７、磁気ヘッド１０が搬送路Ｒに沿ってそれぞれ配置されている。そして、手形Ｓは、レジストセンサ２２により搬送状態が検知され、永久磁石７により識別情報（磁気インク文字）が磁化された後、磁気ヘッド１０を通過するようになっている。なお、図中の矢印Ｄは、手形Ｓの搬送方向を示す。
【００３７】
磁気ヘッド１０は、図７に示すように、手形Ｓに印字された識別情報を、所定の傾き状態で磁性情報として読み取る読取手段を構成している。本実施形態では、磁気ヘッド１０は、手形Ｓの搬送路Ｒ（搬送方向Ｄ）に対し、所定の角度傾けた状態で設置されている。すなわち、磁気ヘッド１０は手形Ｓの搬送方向Ｄに所定の角度傾けて設置され、手形Ｓの識別情報は磁気ヘッド１０により所定の傾き状態で読み取られる。
【００３８】
ここで、「磁気ヘッド１０により識別情報を所定の傾き状態で読み取る」とは、例えば、異なる文字等のように外観等で区別可能な異なる形態でありながら通常の読取処理において磁気波形が酷似する特定の識別形態（以下、特定の識別形態ともいう。）が識別情報に含まれていても、その識別情報を所定の傾き状態で読み取ることを意味する。これにより、特定の識別形態に基づく磁気波形に、区別できる程度の波形の違いを生じさせることが可能となり、その結果、特定の識別形態を正確に区別することができ、識別情報の誤読を確実に防止することができる。なお、ここでいう「所定の傾き状態」とは、特定の識別形態に基づく磁気情報、例えば、磁気波形に、区別できる程度の違いが生じる傾き状態のことを意味する。なお、このような特定の識別形態の一例としては、図３に示すＥ１３Ｂフォントの文字「２」と「５」が挙げられる。
【００３９】
また、本実施形態のように磁気ヘッド１０を「所定の角度傾けた状態で設置する」とは、例えば、Ｅ１３Ｂフォントの文字「２」及び「５」を例に挙げれば、これら文字に基づく磁気波形において、区別できる程度の違いが生じる角度で設置することを意味する。なお、「区別できる程度の違い」の一例としては、例えば、手形Ｓの搬送速度の変動が生じた場合でも、磁気波形のピーク位置が区別できる程度に異なる場合が挙げられる。そして、本実施形態では、磁気ヘッド１０による識別情報の読取角度を傾ける度合いによって、特定の識別形態に基づく磁性波形に区別できる程度の違いが生じるよう適宜調整することが可能となる。
【００４０】
さらに、本実施形態では、磁気ヘッド１０の設置角度Ｘについて、識別情報から読み取る磁気波形が過度に減衰して判読不能にならない角度であることが好ましい。Ｅ１３Ｂフォントを例に挙げると、例えば、文字「２」及び「５」以外の文字から読み取る磁気波形特性に支障が出ない程度の角度であることが好ましい。このため、図７に示すように、磁気ヘッド１０の設置角度Ｘとしては、例えば、本実施形態では、図中点線で示した手形Ｓの搬送路（搬送方向Ｄ）に直交する読取基準線に対して磁気ヘッド１０を＋２度傾けた状態で設置した。
【００４１】
そして、このような磁気ヘッド１０には、図６に示すように、増幅回路２３、フィルタ回路２４、Ａ／Ｄ変換機２５が接続されている。すなわち、磁気ヘッド１０で読み込まれた磁性情報（磁気信号）は、増幅回路２３によって増幅された後、フィルタ回路２４によって高周波域のノイズが取り除かれ、Ａ／Ｄ変換機２５によってＡ／Ｄ変換される。
【００４２】
また、このようなＡ／Ｄ変換機２５には、磁気ヘッド１０で読み取った読取情報が識別情報に対応する情報であるか否かを判定する判定手段となる文字判定部３０が接続されている。この文字判定部３０は、Ａ／Ｄ変換された読取情報に基づいて所定のテーブルを作成するサンプルテーブル作成部３１を有する。このサンプルテーブル作成部３１では、磁気波形において文字毎の開始が必ず正ピークからはじまることを利用して、ピークを検出して文字の先頭を検出し、サンプリング周期から文字幅を算出することにより、読取情報について一文字毎の切り分けを行う。そして、磁気波形情報に基づくピーク値データに基づいて、ピーク位置の時間と振幅レベル（極性）の関係をテーブルとして作成する。
【００４３】
サンプルテーブル作成部３１は、辞書テーブル３２を参照可能な判定部３３に接続されている。この判定部３３では、読取情報に基づくサンプルテーブルと、辞書テーブル３２とを照合する演算処理を行い、読取情報が識別情報に対応する情報であるか否かの判定を行うようになっている。なお、辞書テーブル３２には、本実施形態に対応する磁気ヘッド１０に準じて予め読み取った基準データとなる磁気波形として、例えば、識別情報を所定の傾き状態（本実施形態では磁気ヘッド１０の設置角度に対応）で読み取った磁気波形に関する情報（磁気波形のピーク位置に関する情報等）が保存されている。この辞書テーブル３２に保存されている情報は、識別情報として認定するための認定基準情報となる。
【００４４】
なお、上述した文字判定部３０により識別情報に対応する情報として判定した読取情報は、図示しないホストＰＣに転送される。
【００４５】
ここで、図８に示すフローチャートを用いて、本実施形態に係る識別情報の読取手順について詳細に説明する。
【００４６】
まず、磁性インク文字読取装置では、図示しないホストＰＣから手形Ｓの搬送指示に基づいて、手形Ｓの搬送を開始する（ステップＳ２００）。手形Ｓがレジストセンサ２２を通過後、図示しないタイマにより時間計測を開始する。また、手形Ｓが永久磁石７に到達しこれを通過すると、手形Ｓの識別情報である磁気インク文字が永久磁石７によってある一方向に磁化処理される（ステップＳ２０１）。
【００４７】
次に、磁気ヘッド１０により手形Ｓの識別情報から磁束を読み取る（ステップＳ２０２）。なお、磁気ヘッド１０での読取動作は、レジストセンサ２２と磁気ヘッド１０間の距離をＬとし搬送速度をＶとすると、磁気ヘッド１０に手形Ｓが到達するＬ／Ｖ秒後に開始する。ここで、本実施形態では、磁気ヘッド１０が、Ｅ１３Ｂフォントの文字「２」及び「５」を区別できる程度で且つこれら文字「２」及び「５」以外の磁気波形特性に支障が出ない程度に、読取基準線から２度傾けた状態で搬送路に設置されている（図７参照）。このため、（ステップＳ２０２）では、識別情報が搬送路Ｒに対して２度の傾き状態で読み取られることになる。
【００４８】
次に、磁気ヘッド１０で検出された磁気信号は、（ステップＳ２０３）で増幅回路２３によって増幅された後、（ステップＳ２０４）でフィルタ回路２４によって高周波域のノイズが取り除かれ、さらに、（ステップＳ２０５）でＡ／Ｄ変換機２５によってＡ／Ｄ変換される。次に、Ａ／Ｄ変換された磁気信号は、文字判定部３０に送られ、文字判定部３０内のサンプルテーブル作成部３１で一文字毎に文字の切り分けを行い、サンプルテーブルを作成する（ステップＳ２０６）。ここでは、サンプルテーブル作成部３１がピーク値データに基づいてピーク位置の時間と振幅レベル（極性）の関係をテーブルとして作成する。
【００４９】
次に、判定部３３により文字判定する（ステップＳ２０７）。ここでは、判定部３３は、ピークの検出データからサンプルテーブル作成部３１において作成したサンプルテーブルと、辞書テーブル３２のデータと照合し、サンプルテーブルが識別情報に対応する情報であるか否かを判定する。
【００５０】
上記（ステップＳ２０７）での文字判定では、１文字分の幅を時間軸に対して８等分に分割し、磁気ヘッド１０で文字を読み取った時に得られる読取信号のピークが、それぞれ異なるブロックに存在するようにする。これは、Ｅ１３Ｂフォントの特性として、文字のスタートから次の文字のスタートまで、すなわち、文字のピッチが０．１２５インチ（３．１ｍｍ）であることから、１文字分の幅を８等分に分割すると、磁気ヘッド１０で文字を読み取った時に得られる読取信号のピークは何れかのブロックに必ず存在することになる。そして、このようにして１文字毎に８等分すると共に、磁気信号の何処にピークがあるかを検出し、検出したピーク位置をピーク位置信号として算出する。
【００５１】
さらに、上記（ステップＳ２０７）では、所定の角度傾けた磁気ヘッド１０により予め読み取った基準データ（認定基準情報）である磁気波形が保存された辞書テーブル３２を参照するが、この辞書テーブル３２においては、手形Ｓの搬送速度の変動に関係なく、Ｅ１３Ｂフォントの文字「２」及び「５」のピーク位置が、区別できる程度に異なっている。このため、読み取った読取情報としてＥ１３Ｂフォントの文字「２」及び「５」が含まれていても、これら各文字を示す磁気波形についても、手形Ｓの搬送速度の変動に関係なく、ピーク位置が区別できる程度に異なっている。これにより、仮に手形Ｓの搬送速度に変動が発生していたとしても、辞書テーブル３２と読み取った磁気波形とを照合する際に、Ｅ１３Ｂフォントの文字「２」と「５」を誤って照合することがない。したがって、識別情報の誤読を確実に防止することができる。
【００５２】
なお、上述した一連の処理は、１枚の手形を読み取る場合についての例であるが、複数枚の手形を連続処理する場合には、上述した一連の処理を手形の枚数に応じて連続的に実行することになる。
【００５３】
以上説明したように、本実施形態では、Ｅ１３Ｂフォントの文字「２」及び「５」等のように磁気波形が酷似する特定の識別形態が識別情報として含まれていても、磁気ヘッド１０によりその識別情報を所定の傾き状態で読み取るようにしたので、特定の識別形態に基づく磁気波形に、区別できる程度の波形の違いを生じさせることが可能となり、その結果、特定の識別形態が正確に区別でき、識別情報の誤読を確実に防止することができる。
【００５４】
（実施例１）
以下、実施例１として、上述した本実施形態に係る識別情報読取装置を備えた磁気インク文字読取装置を用いて、Ｅ１３Ｂフォントの文字「２」及び「５」の磁気波形を読み取った例について説明する。ここでは、Ｅ１３Ｂフォントの文字「２」について、手形Ｓの所定の搬送速度（設定値）から低速側に搬送速度の変動が生じた場合と、Ｅ１３Ｂフォントの文字「５」について、手形Ｓの高速側に搬送速度の変動が生じた場合とを比較した。その結果を図９に示す。
【００５５】
なお、図９は、実施例１に係るＥ１３Ｂフォントの文字「２」及び「５」の磁気波形の比較図である。なお、文字上の線はＥ１３Ｂフォントの文字「２」及び「５」のピーク位置を示す。また、図中の縦軸は出力電圧値であり、横軸は時間の経過を表す。この線上の磁界の変化量が磁気波形として読み取られる。
【００５６】
まず、文字「２」は、磁気ヘッド１０がＡの部分を走査している箇所で、磁界の変化量は最大となり、この時の磁気波形は図９の実線のＡに対応する。次に、磁気ヘッド１０がＢの部分を走査している箇所で、磁界の変化量は最小となり、この時の磁気波形は図９の実線のＢに対応する。次に、磁気ヘッド１０がＣの部分を走査している箇所で、磁界の変化量は再び最大となり、この時の磁気波形は図９の実線のＣに対応する。最後に、磁気ヘッド１０がＤの部分を走査している箇所で、磁界の変化量は再び最小となり、この時の磁気波形は図９の実線のＤに対応する。ここでは、磁気ヘッド１０を所定の角度傾けているので、走査する磁束量が変化し、図９の磁束の減少位置Ｂ、磁束の増加位置Ｃの長さが増加している。
【００５７】
一方、文字「５」についても、上記文字「２」と同様に、磁気ヘッド１０がＡの部分を走査している箇所で、磁界の変化量は最大となり、この時の磁気波形は図９の点線のＡ´に対応する。次に、磁気ヘッド１０がＢ´の部分を走査している箇所で、磁界の変化量は最小となり、この時の磁気波形は図９の点線のＢ´に対応する。次に、磁気ヘッド１０がＣ´の部分を走査している箇所で、磁界の変化量は再び最大となり、この時の磁気波形は図１０の点線のＣ´に対応する。最後に、磁気ヘッド１０がＤ´の部分を走査している箇所で、磁界の変化量は再び最小となり、この時の磁気波形は図９の点線のＤ´に対応する。ここでは、磁気ヘッドを所定の角度傾けているので、走査する磁束量が変化し、図９の磁束の減少位置Ｂ´、磁束の増加位置Ｃ´間の長さが減少している。
【００５８】
以上の文字「２」及び「５」についての実施例１に係る磁気波形の特性比較を行うと、図９に示すように、磁気ヘッド１０によってＥ１３Ｂフォントの文字「２」及び「５」を所定の傾き状態で読み取ることにより、両者はピーク位置（尾根、谷の部分）が異なった磁気波形となる。すなわち、手形Ｓの搬送速度に低速側又は高速側の変動が発生しても、両者の磁気波形の違い、詳細にはピーク位置の違いにより比較的容易に且つ正確に区別することができるため、両者の誤読を確実に防止することができる。
【００５９】
（実施例２）
以下、実施例２として、上述した本実施形態に係る識別情報読取装置を備えた磁気インク文字読取装置を用いて、Ｅ１３Ｂフォントの文字「２」及び「５」の磁気波形を読み取った例について説明する。ここでは、手形Ｓの所定の搬送速度（設定値）から搬送速度の変動が生じていない場合におけるＥ１３Ｂフォントの文字「２」及び「５」の磁気波形を比較した。その結果を図１０に示す。
【００６０】
なお、図１０は、実施例２に係るＥ１３Ｂフォントの文字「２」及び「５」の磁気波形の比較図である。なお、文字上の線はＥ１３Ｂフォントの文字「２」及び「５」のピーク位置を示す。また、図中の縦軸は出力電圧値であり、横軸は時間の経過を表す。この線上の磁界の変化量が磁気波形として読み取られる。
【００６１】
まず、文字「２」は、磁気ヘッド１０がＡの部分を走査している箇所で、磁界の変化量は最大となり、この時の磁気波形は図１０の実線のＡに対応する。次に、磁気ヘッド１０がＢの部分を走査している箇所で、磁界の変化量は最小となり、この時の磁気波形は図１０の実線のＢに対応する。次に、磁気ヘッド１０がＣの部分を走査している箇所で、磁界の変化量は再び最大となり、この時の磁気波形は図１０の実線のＣに対応する。最後に、磁気ヘッド１０がＤの部分を走査している箇所で、磁界の変化量は再び最小となり、この時の磁気波形は図１０の実線のＤに対応する。ここで、磁気ヘッド１０を所定の角度傾けているので、走査する磁束量が変化し、図１０の磁束の減少位置Ｂ、磁束の増加位置Ｃの長さがやや増加している。
【００６２】
一方、文字「５」についても、上記文字「２」と同様に、磁気ヘッド１０がＡ´の部分を走査している箇所で、磁界の変化量は最大となり、この時の磁気波形は図１０の点線のＡ´に対応する。次に、磁気ヘッド１０がＢ´の部分を走査している箇所で、磁界の変化量は最小となり、この時の磁気波形は図１０の点線のＢ´に対応する。次に、磁気ヘッド１０がＣ´の部分を走査している箇所で、磁界の変化量は再び最大となり、この時の磁気波形は図１０の点線のＣ´に対応する。最後に、磁気ヘッド１０がＤ´の部分を走査している箇所で、磁界の変化量は再び最小となり、この時の磁気波形は図１０の点線のＤ´に対応する。ここでは、磁気ヘッド１０を所定の角度傾けているので、走査する磁束量が変化し、図１０の磁束の減少位置Ｂ´、磁束の増加位置Ｃ´間の長さがやや減少している。
【００６３】
以上の文字「２」及び「５」についての実施例１に係る磁気波形の特性比較を行うと、図１０に示すように、磁気ヘッド１０によってＥ１３Ｂフォント「２」及び「５」を所定の傾き状態で読み取ることにより、両者はピーク位置（尾根、谷の部分）が異なった磁気波形となる。すなわち、手形Ｓの搬送速度に速度変動が生じない場合であっても、両者の磁気波形の違い、詳細にはピーク位置の違いにより比較的容易に且つ正確に区別することができるため、両者の誤読を確実に防止することができる。
【００６４】
（実施例３）
以下、実施例３として、上述した本実施形態に係る識別情報読取装置を備えた磁気インク文字読取装置を用いて、Ｅ１３Ｂフォントの文字「３」の磁気波形を読み取った例について説明する。ここでは、まず、手形Ｓの所定の搬送速度（設定値）から搬送速度の変動が生じていない場合における、実施例３に係るＥ１３Ｂフォントの文字「３」の磁気波形を取得した。その結果を図１１に示す。また、比較例１として、直立した磁気ヘッドにより、Ｅ１３Ｂフォント「３」の磁気波形を読み取った。その結果を図１２に示す。そして、両者の磁気波形を比較し、磁気ヘッドを所定の角度傾けて設置したことによる、Ｅ１３Ｂフォント「３」の文字判定への影響を調べた。
【００６５】
なお、図１１は、実施例３に係るＥ１３Ｂフォントの文字「３」の磁気波形である。図１２は、比較例１のＥ１３Ｂフォントの文字「３」の磁気波形である。なお、文字上の線はＥ１３Ｂフォントの文字「３」のピーク位置を示す。また、図中の縦軸は出力電圧値であり、横軸は時間の経過を表す。この線上の磁界の変化量が磁気波形として読み取られる。
【００６６】
まず、図１１に示すように、実施例３では、文字「３」は、所定の角度傾けて設置した磁気ヘッドがＡの部分を走査している箇所で、磁界の変化量は最小となり、この時の磁気波形は図１１の実線のＡである。次に、磁気ヘッドがＢの部分を走査している箇所で、磁界の変化量は再び最小となり、この時の磁気波形は図１１の実線のＢに対応する。次に、磁気ヘッドがＣの部分を走査している箇所で、磁界の変化量は最大となり、この時の磁気波形は図１１の実線のＣに対応する。最後に、磁気ヘッドがＤの部分を走査している箇所で、磁界の変化量は再び最大となり、この時の磁気波形は図１１の実線のＤに対応する。
【００６７】
一方、図１２に示すように、比較例１では、文字「３」は、直立して設置した磁気ヘッドがＡの部分を走査している箇所で、磁界の変化量は最小となり、この時の磁気波形は図１２の実線のＡである。次に、磁気ヘッドがＢの部分を走査している箇所で、磁界の変化量は再び最小となり、この時の磁気波形は図１２の実線のＢに対応する。次に、磁気ヘッドがＣの部分を走査している箇所で、磁界の変化量は最大となり、この時の磁気波形は図１２の実線のＣに対応する。最後に、磁気ヘッドがＤの部分を走査している箇所で、磁界の変化量は再び最大となり、この時の磁気波形は図１２の実線のＤに対応する。
【００６８】
実施例３は、磁気ヘッドを所定の角度傾けて設置していることから、走査する磁束の量が変化し、その結果、比較例１と比べて磁束の増加位置Ｃ及びＤのピークがやや減衰しているが、ここでのピークの減衰は、文字判定には問題ない程度である。
【００６９】
（実施例４）
以下、実施例４として、上述した本実施形態に係る識別情報読取装置を備えた磁気インク文字読取装置を用いて、Ｅ１３Ｂフォントの文字「８」の磁気波形を読み取った例について説明する。ここでは、まず、手形の所定の搬送速度（設定値）から搬送速度の変動が生じていない場合における、実施例４に係るＥ１３Ｂフォントの文字「８」の磁気波形を取得した。その結果を図１３に示す。また、比較例２として、直立した磁気ヘッドにより、Ｅ１３Ｂフォントの文字「８」の磁気波形を読み取った。その結果を図１４に示す。そして、両者の磁気波形を比較し、磁気ヘッドを所定の角度傾けて設置したことによる、Ｅ１３Ｂフォントの文字「８」の文字判定への影響を調べた。
【００７０】
なお、図１３は、実施例４に係るＥ１３Ｂフォントの文字「８」の磁気波形である。図１４は、比較例２のＥ１３Ｂフォントの文字「８」の磁気波形である。なお、文字上の線は文字「８」のピーク位置を示す。また、図中の縦軸は出力電圧値であり、横軸は時間の経過を表す。この線上の磁界の変化量が磁気波形として読み取られる。
【００７１】
まず、図１３に示すように、実施例４では、文字「８」は、所定の角度傾けて設置した磁気ヘッドがＡの部分を走査している箇所で、磁界の変化量は最小となり、この時の磁気波形は図１３の実線のＡである。次に、磁気ヘッドがＢの部分を走査している箇所で、磁界の変化量は再び最小となり、この時の磁気波形は図１３の実線のＢに対応する。次に、磁気ヘッドがＣの部分を走査している箇所で、磁界の変化量は最大となり、この時の磁気波形は図１３の実線のＣに対応する。次に、磁気ヘッドがＤの部分を走査している箇所で、磁界の変化量は再び最小となり、この時の磁気波形は図１３の実線のＤに対応する。次に、磁気ヘッドがＥの部分を走査している箇所で、磁界の変化量は再び最大となり、この時の磁気波形は図１３の実線のＥに対応する。最後に、磁気ヘッドがＦの部分を走査している箇所で、磁界の変化量は再び最大となり、この時の磁気波形は図１３の実線のＦに対応する。
【００７２】
一方、図１４に示すように、比較例２では、文字「８」は、直立して設置した磁気ヘッドがＡの部分を走査している箇所で、磁界の変化量は最小となり、この時の磁気波形は図１４の実線のＡである。次に、磁気ヘッドがＢの部分を走査している箇所で、磁界の変化量は再び最小となり、この時の磁気波形は図１４の実線のＢに対応する。次に、磁気ヘッドがＣの部分を走査している箇所で、磁界の変化量は最大となり、この時の磁気波形は図１４の実線のＣに対応する。次に、磁気ヘッドがＤの部分を走査している箇所で、磁界の変化量は再び最小となり、この時の磁気波形は図１４の実線のＤに対応する。次に、磁気ヘッドがＥの部分を走査している箇所で、磁界の変化量は再び最大となり、この時の磁気波形は図１４の実線のＥに対応する。最後に、磁気ヘッドがＦの部分を走査している箇所で、磁界の変化量は再び最大となり、この時の磁気波形は図１４の実線のＦに対応する。
【００７３】
実施例４では、磁気ヘッドを所定の角度傾けて設置していることから、走査する磁束の量が変化し、その結果、比較例２と比べて磁束の減少位置Ａ及びＢのピークがやや減衰しているが、ここでのピークの減衰は、文字判定には問題ない程度である。
【００７４】
以上、実施例１〜４の検証から明らかなように、本実施形態に係る識別情報読取装置を備えた磁気インク文字読取装置において、磁気ヘッドを搬送路に対して所定の角度傾けて設置することで、Ｅ１３Ｂフォントの文字「２」及び「５」を確実に区別可能としつつ、その他の文字、特に、同極のピークが連続した文字「３」及び「８」のように磁気ヘッドを傾けたことによる影響を受けやすい文字についても、磁気波形のピークが判読不能となるまで減衰することがない。すなわち、Ｅ１３Ｂフォントについての誤読を確実に防止することができる。
【００７５】
（実施形態２）
図１５は、本発明の実施形態２に係る識別情報読取装置を備えた磁気インク文字読取装置の要部を示す構成ブロック図である。また、図１６は、図１５に示す磁気ヘッドの設置状態を示す概略図である。
【００７６】
図１５及び図１６に示すように、本実施形態では、手形Ｓの搬送路Ｒに対して直立した磁気ヘッド１００と、手形Ｓの搬送路Ｒに対して所定の角度傾けた磁気ヘッド１０とを搬送路Ｒに沿って並列に設置すると共に、各磁気ヘッド１０、１００で読み取った読取情報を個別処理した後、双方で処理した情報を比較し、最終的に、正確に判読した情報に基づいて識別情報を認定するようにした以外は、上述した実施形態１と同様である。なお、本実施形態では、上述した実施形態１で説明した構成部分と同一部分については同一の符号を付して重複する説明は省略する。
【００７７】
本実施形態では、図１５及び図１６に示すように、磁気ヘッド１０、１００が搬送路Rに沿って２つ並列に設けられている。以下、２つの磁気ヘッド１０、１００については、それぞれ、上流側の磁気ヘッド１０及び下流側の磁気ヘッド１００とする。
【００７８】
上流側の磁気ヘッド１００は、手形Ｓの搬送路Ｒの上流側に、その搬送路Ｒに対して直立して設けられている。
【００７９】
一方、下流側の磁気ヘッド１０は、手形Ｓの搬送路Ｒに設けられた上記上流側の磁気ヘッド１００の下流側に、手形Ｓの識別情報を読み取る読取手段として設けられている。そして、この下流側の磁気ヘッド１０は、上記上流側の磁気ヘッド１００の設置状態とは異なり、手形Ｓの識別情報を所定の傾き状態で読み取るものであり、例えば、本実施形態では、図１６に示すように、手形Ｓの搬送路Ｒ（搬送方向Ｄ）に対し、所定の角度傾けた状態で設置されている。すなわち、本実施形態では、上流側の磁気ヘッド１００を搬送路Ｒに対して直立して設置しているので、下流側の磁気ヘッド１０は、上流側の磁気ヘッド１００の読取角度に対して所定の角度傾いた状態で設置されることになる。ここでの上流側の磁気ヘッド１００の読取角度とは、上流側の磁気ヘッド１００を直立した場合の読取角度を意味する。なお、下流側の磁気ヘッド１０の設置角度を上流側の磁気ヘッド１００の設置角度よりも傾ける度合いによって、特定の識別形態に基づく磁性波形に区別できる程度の違いが生じるよう適宜調整することが可能となる。
【００８０】
ここで、本実施形態では、図１６に示すように、下流側の磁気ヘッド１０の設置角度Ｘとしては、識別情報から読み取る磁気波形が過度に減衰して判読不能にならない角度であることが好ましく、例えば、図中点線で示した手形Ｓの搬送方向Ｄに直交する読取基準線に対して磁気ヘッド１０を−１５度〜＋２０度の範囲の角度で設置するのが好ましく、本実施形態では＋１１度の角度とした。
【００８１】
なお、手形Ｓは、上述した本実施形態の磁気インク文字読取装置において、まずレジストセンサ２２により搬送状態が検知され、永久磁石７により識別情報（磁気インク文字）が磁化された後、上流側の磁気ヘッド１００、下流側の磁気ヘッド１０を順次通過するようになっている。なお、上流側の磁気ヘッド１００、及び下流側の磁気ヘッド１０により読み取った各読取情報（磁性情報）は、それぞれ個別に、増幅回路２３、２３０により増幅された後、フィルタ回路２４、２４０により高周波域のノイズ除去を行い、Ａ／Ｄ変換機２５、２５０によりＡ／Ｄ変換される。
【００８２】
そして、本実施形態では、上流側の磁気ヘッド１００に対応するＡ／Ｄ変換機２５０に、上流側の磁気ヘッド１００で読み取った読取情報（他の読取情報）が識別情報に対応する情報であるか否かを判定する判定手段となる文字判定部３００が接続されている。この文字判定部３００は、Ａ／Ｄ変換された他の読取情報に基づいて所定のテーブルを作成するサンプルテーブル作成部３１０を有する。このサンプルテーブル作成部３１０では、磁気波形において文字毎の開始が必ず正ピークからはじまることを利用して、ピークを検出して文字の先頭を検出し、サンプリング周期から文字幅を算出することにより、読取情報について一文字毎の切り分けを行う。そして、磁気波形情報に基づくピーク値データに基づいて、ピーク位置の時間と振幅レベル（極性）の関係をテーブルとして作成する。
【００８３】
サンプルテーブル作成部３１０は、辞書テーブル３２０を参照可能な判定部３３０に接続されている。この判定部３３０では、上流側の磁気ヘッド１００で読み取った他の読取情報に基づくテーブルと、辞書テーブル３２０とを照合する演算処理を行い、他の読取情報が識別情報に対応する情報であるか否かの判定を行うようになっている。なお、辞書テーブル３２０には、上流側の磁気ヘッド１００に準じて予め読み取った基準データとなる磁気波形に関する情報（磁気波形のピーク位置に関する情報等）が保存されている。この辞書テーブル３２０に保存されている情報は、上流側の磁気ヘッド１００で読み取った他の読取情報について、識別情報として認定するための認定基準情報となる。
【００８４】
一方、上記下流側の磁気ヘッド１０で読み取った読取情報は、上述した実施形態１と同様にして、文字判定部３０により、読取情報についての所定の情報処理を実施し、文字判定を行うようになっている。
【００８５】
さらに、本実施形態では、上流側の磁気ヘッド１００に対応する文字判定部３００、及び下流側の磁気ヘッド１０に対応する文字判定部３０は、文字認定部４０が接続されている。この文字認定部４０は、下流側の磁気ヘッド１０によって読み取られた読取情報と、上流側の磁気ヘッド１００によって読み取られた他の読取情報とを受付け、これら各読取情報の中に、所定の個別情報が含まれているか否かを判断する判断手段４１を備えている。ここで、「所定の個別情報」とは、特定の識別形態に関する個別情報であり、例えば、Ｅ１３Ｂフォントを例に挙げれば、文字「２」、文字「５」等の磁気波形を特定するための個別の情報である。
【００８６】
また、文字認定部４０は、判断手段４１により他の読取情報に所定の個別情報が含まれると判断した際に、下流側の磁気ヘッドで読み取った読取情報を識別情報として認定する認定手段４２を備えている。
【００８７】
ここで、認定手段４２の認定方法については、上流側の磁気ヘッド１００で読み取った他の読取情報に所定の個別情報が含まれている場合には、当該他の読取情報を認定対象とせず、下流側の磁気ヘッド１０で読み取った読取情報の全てを識別情報として認定するようにしてもよい。また、上流側の磁気ヘッド１００で読み取った他の読取情報のうち所定の個別情報について、下流側の磁気ヘッド１０で読み取った当該所定の個別情報に対応する個別情報に基づいて補正して、補正後の読取情報を識別情報として認定するようにしてもよい。
【００８８】
後者の場合には、例えば、Ｅ１３Ｂフォントを例に挙げると、上流側の磁気ヘッド１００で読み取った他の読取情報に、Ｅ１３Ｂフォントの文字「２」、「５」の個別情報が含まれている場合に、これらＥ１３Ｂフォントの文字「２」、「５」についての他の読取情報に含まれる個別情報について、下流側の磁気ヘッド１０で読み取った文字「２」、「５」の個別情報に対応する読取情報（磁気波形）に基づいて補正する。これは、上流側の磁気ヘッド１００で読み取った他の読取情報のうち、Ｅ１３Ｂフォントの文字「２」、「５」以外の文字については、正確に判読されているため、そのまま採用することができるからである。そして、誤読し易いＥ１３Ｂフォントの文字「２」、「５」については、下流側の磁気ヘッド１０での読取情報に基づいて正確に判読できるため、これを採用することで、全体として識別情報の誤読を確実に防止することができる。
【００８９】
以上説明した本実施形態によれば、２つの磁気ヘッド１０、１００を搭載する場合に、下流側の磁気ヘッド１０で識別情報を所定の傾き状態で読み取るようにしたので、上流側の磁気ヘッド１００での読取情報に所定の個別情報が含まれていても、下流側の磁気ヘッド１０で正確に区別した読取情報に基づいて識別情報を認定することが可能となり、識別情報の誤読を確実に防止することができる。
【００９０】
（実施例５）
以下、実施例５として、上述した本実施形態に係る識別情報読取装置を備えた磁気インク文字読取装置を用いて、上流側の磁気ヘッド１００及び下流側の磁気ヘッド１０によりＥ１３Ｂフォントの文字「２」の磁気波形をそれぞれ読み取った例について説明する。ここでは、Ｅ１３Ｂフォントの文字「２」について、手形Ｓの所定の搬送速度（設定値）から低速側に搬送速度の変動が生じた場合の磁気波形をそれぞれ読み取った。その結果を図１７に示す。
【００９１】
なお、図１７は、実施例５に係るＥ１３Ｂフォントの文字「２」の磁気波形である。なお、文字上の線はＥ１３Ｂフォントの文字「２」のピーク位置を示す。また、図中の縦軸は出力電圧値であり、横軸は時間の経過を表す。この線上の磁界の変化量が磁気波形として読み取られる。
【００９２】
まず、上流側の磁気ヘッド１００により読み取った磁気波形について説明する。図１７に示すように、上流側の磁気ヘッド１００がＡの部分を走査している箇所で、磁界の変化量は最大となり、この時の磁気波形は図１７の点線のＡに対応する。次に、磁気ヘッド１００がＢの部分を走査している箇所で、磁界の変化量は最小となり、この時の磁気波形は図１７の点線のＢに対応する。次に、磁気ヘッド１００がＣの部分を走査している箇所で、磁界の変化量は再び最大となり、この時の磁気波形は図１７の点線のＣに対応する。最後に、磁気ヘッド１００がＤの部分を走査している箇所で、磁界の変化量は再び最小となり、この時の磁気波形は図１７の点線のＤに対応する。
【００９３】
次に、下流側の磁気ヘッド１０により読み取った磁気波形について説明する。図１７に示すように、磁気ヘッド１０がＡ´の部分を走査している箇所で、磁界の変化量は最大となり、この時の磁気波形は図１７の点線のＡ´に対応する。次に、磁気ヘッド１０がＢ´の部分を走査している箇所で、磁界の変化量は最小となり、この時の磁気波形は図１７の点線のＢ´に対応する。次に、磁気ヘッド１０がＣ´の部分を走査している箇所で、磁界の変化量は再び最大となり、この時の磁気波形は図１７の点線のＣ´に対応する。最後に、磁気ヘッド１０がＤ´の部分を走査している箇所で、磁界の変化量は再び最小となり、この時の磁気波形は図１７の点線のＤ´に対応する。
【００９４】
上流側の磁気ヘッド１００と下流側の磁気ヘッド１０とでそれぞれ読み取った磁気波形について比較すると、図１７に示されるように、下流側の磁気ヘッド１０の方は、上流側の磁気ヘッド１００と比べて、磁界量が変化することから、１つ目の最小位置Ｂ´と２つ目の最大位置Ｃ´との時間が長くなる。その結果、下流側の磁気ヘッド１０は、所定の角度傾けて設置されることで、手形Ｓの搬送速度が低速側に変動した場合に、Ｅ１３Ｂフォントの文字「２」の磁気波形のピーク位置に区別できる程度の違いを生じさせることができる。
【００９５】
（実施例６）
以下、実施例６として、上述した本実施形態に係る識別情報読取装置を備えた磁気インク文字読取装置を用いて、上流側の磁気ヘッド１００及び下流側の磁気ヘッド１０によりＥ１３Ｂフォントの文字「５」の磁気波形をそれぞれ読み取った例について説明する。ここでは、Ｅ１３Ｂフォントの文字「５」について、手形Ｓの所定の搬送速度（設定値）から高速側に搬送速度の変動が生じた場合の磁気波形をそれぞれ読み取った。その結果を図１８に示す。
【００９６】
なお、図１８は、実施例６に係るＥ１３Ｂフォントの文字「５」の磁気波形である。なお、文字上の線はＥ１３Ｂフォントの文字「５」のピーク位置を示す。また、図中の縦軸は出力電圧値であり、横軸は時間の経過を表す。この線上の磁界の変化量が磁気波形として読み取られる。
【００９７】
まず、上流側の磁気ヘッド１００により読み取った磁気波形について説明する。図１８に示すように、磁気ヘッド１００がＡの部分を走査している箇所で、磁界の変化量は最大となり、この時の磁気波形は図１８の点線のＡに対応する。次に、磁気ヘッド１００がＢの部分を走査している箇所で、磁界の変化量は最小となり、この時の磁気波形は図１８の点線のＢに対応する。次に、磁気ヘッド１００がＣの部分を走査している箇所で、磁界の変化量は再び最大となり、この時の磁気波形は図１８の点線のＣに対応する。最後に、磁気ヘッド１００がＤの部分を走査している箇所で、磁界の変化量は再び最小となり、この時の磁気波形は図１８の点線のＤに対応する。
【００９８】
次に、下流側の磁気ヘッド１０により読み取った磁気波形について説明する。図１８に示すように、磁気ヘッド１０がＡ´の部分を走査している箇所で、磁界の変化量は最大となり、この時の磁気波形は図１８の点線のＡ´に対応する。次に、磁気ヘッド１０がＢ´の部分を走査している箇所で、磁界の変化量は最小となり、この時の磁気波形は図１８の点線のＢ´に対応する。次に、磁気ヘッド１０がＣ´の部分を走査している箇所で、磁界の変化量は再び最大となり、この時の磁気波形は図１８の点線のＣ´に対応する。最後に、磁気ヘッド１０がＤ´の部分を走査している箇所で、磁界の変化量は再び最小となり、この時の磁気波形は図１８の点線のＤ´に対応する。
【００９９】
上流側の磁気ヘッド１００と下流側の磁気ヘッド１０とでそれぞれ読み取った磁気波形について比較すると、図１８に示されるように、下流側の磁気ヘッド１０の方は、上流側の磁気ヘッド１００と比べて、磁界量が変化することから、１つ目の最小位置Ｂ´と２つ目の最大位置Ｃ´との時間が短くなる。その結果、下流側の磁気ヘッド１０は、所定の角度傾けて設置されることで、手形Ｓの搬送速度が低速側に変動した場合に、Ｅ１３Ｂフォントの文字「５」の磁気波形のピーク位置に区別できる程度の違いを生じさせることができる。
【０１００】
（実施例７）
以下、実施例７として、上述した本実施形態に係る識別情報読取装置を備えた磁気インク文字読取装置を用いて、下流側の磁気ヘッド１０によりＥ１３Ｂフォントの文字「２」及び「５」の磁気波形を読み取った例について説明する。ここでは、Ｅ１３Ｂフォントの文字「２」について、手形Ｓの所定の搬送速度（設定値）から低速側に搬送速度の変動が生じた場合と、Ｅ１３Ｂフォントの文字「５」について、手形Ｓの高速側に搬送速度の変動が生じた場合とを比較した。その結果を図１９に示す。
【０１０１】
なお、図１９は、実施例８に係るＥ１３Ｂフォントの文字「２」及び「５」の磁気波形の比較図である。なお、文字上の線はＥ１３Ｂフォントの文字「２」及び「５」のピーク位置を示す。また、図中の縦軸は出力電圧値であり、横軸は時間の経過を表す。この線上の磁界の変化量が磁気波形として読み取られる。
【０１０２】
図１９に示すように、文字「２」について手形Ｓの搬送速度が低速側に変動し、文字「５」について手形Ｓの搬送速度が高速側に変動したとしても、両者を下流側の磁気ヘッド１０で読み取ることにより、文字「５」の磁気波形の１つ目の最小位置Ｂ´と２つ目の最大位置Ｃ´の時間が短くなり、両者の違いは容易に且つ確実に区別することができる。したがって、文字認定部により下流側の磁気ヘッド１０で読み取った読取情報に基づいて識別情報を認定することにより、識別情報の誤読を確実に防止することができる。
【０１０３】
（実施例８）
以下、実施例８として、上述した本実施形態に係る識別情報読取装置を備えた磁気インク文字読取装置を用いて、下流側の磁気ヘッド１０によりＥ１３Ｂフォントの文字「２」及び「５」の磁気波形を読み取った例について説明する。ここでは、手形Ｓの所定の搬送速度（設定値）に変動が生じない場合において、Ｅ１３Ｂフォントの文字「２」及び「５」の磁気波形を比較した。その結果を図２０に示す。
【０１０４】
なお、図２０は、実施例８に係るＥ１３Ｂフォントの文字「２」及び「５」の磁気波形の比較図である。なお、文字上の線はＥ１３Ｂフォントの文字「２」及び「５」のピーク位置を示す。また、図中の縦軸は出力電圧値であり、横軸は時間の経過を表す。この線上の磁界の変化量が磁気波形として読み取られる。
【０１０５】
図２０に示すように、文字「２」及び「５」の磁気波形については、下流側の磁気ヘッド１０を所定の角度傾けているので、走査する磁束量が変化し、両者の違いは容易に且つ確実に区別することができる。したがって、文字認定部４０（認定手段４２）により下流側の磁気ヘッド１０で読み取った読取情報に基づいて識別情報を認定することにより、識別情報の誤読を確実に防止することができる。
【０１０６】
（他の実施形態）
以上、本発明の実施形態１及び２について説明したが、勿論、本発明は上述の実施形態１及び２に限定されるものではない。例えば、上述した実施形態１及び２では、被読取部材として手形Ｓを例示し、さらにその手形に含まれる磁性情報として、特別の識別形態の文字としてＥ１３Ｂフォントを例示して説明したが、勿論本発明はこれに限定されず、その他の文字形態情報として、例えば、ヨーロッパで幅広く使用されているＣＭＣ７等であってもよし、あるいは文字以外の模様等であってもよい。要するに、本発明は、磁気波形等の磁性情報に基づくと区別が難しい識別形態について適用可能である。
【０１０７】
また、上述した実施形態１及び２では、被読取部材として手形Ｓを例示して説明したが、本発明は、識別情報が付与された被読取部材を搬送しながら当該識別情報を磁性情報として読み取る場合に適用できることから、このような被読取部材については特に限定されない。すなわち、本発明は、磁性情報として読取可能な識別情報が付与された物であれば特に限定されず、例えば、有価証券、公共料金の請求書、サービス申込書等のシート材でも適用可能であり、勿論、包装材等の立体形状であっても適用可能である。
【０１０８】
また、上述した実施形態１及び２では、設置型の磁気ヘッド１０、１００によって手形を順次搬送しながら識別情報の読取を行うようにしたが、勿論これに限定されず、例えば、一定範囲で往復等するような走査型の磁気ヘッドを用いて、順次搬送される手形を走査しながら読み取るようにしてもよし、読み取る際に手形の搬送を一時停止して読み取るようにしてもよい。
【０１０９】
また、上述した実施形態１及び２では、磁気ヘッド１０自体を搬送方向に所定の角度傾けて設置した場合について説明したが、勿論これに限定されず、例えば、磁気ヘッド自体を傾けて設置しなくても、磁気ヘッド内の読取部を傾けるようにしてもよい。何れにしても、本発明は、読取手段により識別情報を所定の傾き状態で読み取るものであれば特に限定されるものではない。
【０１１０】
さらに、上述した実施形態２では、上流側の磁気ヘッド１００を直立に設置したが、勿論これに限定されず、所定の傾き状態で読み取る磁気ヘッドの下流側に、直立の磁気ヘッドを配置してもよい。
【０１１１】
なお、上述した実施形態１及び２では、本発明の識別情報読取装置を適用した一例として磁気インク文字読取装置を挙げて説明したが、本発明は、広く識別情報読取装置全般を対象としたものである。すなわち、本発明は、被読取部材の搬送路を備え、その搬送路に所定の傾き状態で識別情報を読み取るための読取手段を有する識別情報読取装置に関するものであり、それ以外の構成として、例えば、被読取部材の識別情報等を読み取ってシート等の印刷媒体（紙媒体）に画像を形成する画像形成手段を設けて画像形成装置としてもよいし、画像を読み取る画像読取装置に搭載してもよい。
【符号の説明】
【０１１２】
Ｓ    手形
１    ホッパー部
２    押圧板
３    給紙ローラ
４    コントローラユニット
５    フィードローラ
６    分離ローラ６
７    永久磁石
８    搬送ローラ対
９    紙端検知センサ
１０  磁気ヘッド
２３  増幅回路
２４  フィルタ回路
２５  Ａ／Ｄ交換機
３０  文字判定部
３１  サンプルテーブル作成部
３２  辞書テーブル
３３  判定部
４０  文字認定部
４１  判断手段
４２  認定手段
【図１】
2010244299.tif 000003
【図２】
2010244299.tif 000004
【図３】
2010244299.tif 000005
【図４】
2010244299.tif 000006
【図５】
2010244299.tif 000007
【図６】
2010244299.tif 000008
【図７】
2010244299.tif 000009
【図８】
2010244299.tif 000010
【図９】
2010244299.tif 000011
【図１０】
2010244299.tif 000012
【図１１】
2010244299.tif 000013
【図１２】
2010244299.tif 000014
【図１３】
2010244299.tif 000015
【図１４】
2010244299.tif 000016
【図１５】
2010244299.tif 000017
【図１６】
2010244299.tif 000018
【図１７】
2010244299.tif 000019
【図１８】
2010244299.tif 000020
【図１９】
2010244299.tif 000021
【図２０】
2010244299.tif 000022